(57)【特許請求の範囲】
【請求項１】
液体を収容する有底筒状の容器と、前記容器内の液体を加熱・保温する加熱手段と、前記容器の上方開口部を覆う蓋体と、前記蓋体に装着され前記蓋体閉時に前記容器の上方開口部と当接する防水パッキングと、前記容器の外周部に位置し芯材を外袋で覆い内部を真空状態にした真空断熱材と、前記真空断熱材の外周部に位置するボデーと、前記ボデー上部に載置され前記容器の上方開口部を保持する注口とを有し、前記防水パッキングと前記容器の当接部より上方に前記真空断熱材の上端を位置させたことを特徴とする電気湯沸かし器。
【請求項２】
真空断熱材の上端厚さを中央厚さよりも薄くしたことを特徴とする請求項１記載の電気湯沸かし器。
【請求項３】
液体を収容する有底筒状の容器と、前記容器の外周部に位置し芯材を外袋で覆い内部を真空状態にした真空断熱材と、前記容器の上方開口部を保持する注口とを有し、前記真空断熱材の上端を前記容器の外側面と前記注口の内側面との間に配したことを特徴とする電気湯沸かし器。
【請求項４】
液体を収容する有底筒状の容器と、前記容器の外周部に位置し芯材を外袋で覆い内部を真空状態にした真空断熱材と、前記真空断熱材の外周部に位置するボデーと、前記ボデーの内側底部上面に先端が前記真空断熱材の下端に隣接するボデー対流防止部材とを有し、前記ボデー対流防止部材の先端を前記真空断熱材の内周もしくは外周に隣接して配したことを特徴とする電気湯沸かし器。
【請求項５】
ボデー対流防止部材を真空断熱材の下端内周および外周で隣接させたことを特徴とする請求項４記載の電気湯沸かし器。
【発明の詳細な説明】
【０００１】
【発明の属する技術分野】
本発明は、収容液体を加熱・保温する電気湯沸かし器の断熱構成に関するものである。
【０００２】
【従来の技術】
従来この種の電気湯沸かし器は、図１９に示すようなものがあった。図において１は外側部を構成するボデーで、水などの液体２を収容する容器３を内包している。４は注口で中央開口部に容器３を載置し、容器３の外側面には真空断熱材などの容器断熱体５が装着されている。この容器３の外底面部には内部の液体２を加熱・保温する加熱手段６とサーミスターなどの感温素子７が装着されている。８は蓋体で容器３の上方開口部を開閉自在に取り付けられ、蓋体８の内部には発泡ポリプロピレン、アルミ箔などの蓋断熱体９が内包されている。１０は感温素子７からの電気信号により容器３内の液体２の温度を制御する制御回路である。
【０００３】
以上の構成により、液体２は加熱手段６により一定温度に加熱・保温され、保温中は容器３側面の容器断熱体５および蓋体８内部の蓋断熱体９により容器側面および容器上方からの放熱を抑え保温電力量を低減する構成となっていた。
【０００４】
【発明が解決しようとする課題】
しかしながら、上記従来の構成においては、真空断熱材の上端部および下端部における放熱が大きいため断熱性能の大幅な改善が困難であるという課題があった。
【０００５】
【課題を解決するための手段】
本発明は上記従来の課題を解決するもので、液体を収容する有底筒状の容器と、前記容器内の液体を加熱・保温する加熱手段と、前記容器の上方開口部を覆う蓋体と、前記蓋体に装着され前記蓋体閉時に前記容器の上方開口部と当接する防水パッキングと、前記容器の外周部に位置し芯材を外袋で覆い内部を真空状態にした真空断熱材と、前記真空断熱材の外周部に位置するボデーと、前記ボデー上部に載置され前記容器の上方開口部を保持する注口とを有し、前記防水パッキングと前記容器の当接部より上方に前記真空断熱材の上端を位置させたものである。
【０００６】
これにより、防水パッキングと容器の当接面で発生する放熱を大幅に抑制でき、保温時の消費電力量を大幅に低減でき経済性の高い電気湯沸かし器を提供することができる。
【０００７】
【発明の実施の形態】
本発明の請求項１に記載の発明は、液体を収容する有底筒状の容器と、前記容器内の液体を加熱・保温する加熱手段と、前記容器の上方開口部を覆う蓋体と、前記蓋体に装着され前記蓋体閉時に前記容器の上方開口部と当接する防水パッキングと、前記容器の外周部に位置し芯材を外袋で覆い内部を真空状態にした真空断熱材と、前記真空断熱材の外周部に位置するボデーと、前記ボデー上部に載置され前記容器の上方開口部を保持する注口とを有し、前記防水パッキングと前記容器の当接部より上方に前記真空断熱材の上端を位置させた構成としたものである。この構成により、防水パッキングと容器の当接面で発生する放熱を大幅に抑制でき、保温時の消費電力量を低減できるという作用を有する。
【０００８】
請求項２に記載の発明は、真空断熱材の上端厚さを中央厚さよりも薄くした構成としたものである。この構成によれば、ボデーと注口と容器に囲われた真空断熱材の限られた装着スペースを最小限に抑えつつ防水パッキングと容器の当接面で発生する放熱を大幅に抑制できることができるため、製品のコンパクト化を損ねずに断熱性能を向上できるという作用を有する。
【０００９】
請求項３に記載の発明は、真空断熱材の上端を容器の外側面と注口の内側面との間に配した構成としたものである。この構成により、容器上端部は真空断熱材の上端で直接的に断熱でき、さらに断熱性能を向上できるという作用を有する。
【００１０】
請求項４に記載の発明は、ボデー対流防止部材を真空断熱材の内周もしくは外周に隣接して配した構成としたものである。この構成により、ボデー対流防止部材と真空断熱材の下端間での熱抵抗をさらに高めることができ容器下部の高温空間と中低温なるボデーと間の遮へい効果を向上できるという作用を有する。
【００１１】
請求項５に記載の発明は、ボデー対流防止部材を真空断熱材の下端内周および外周で隣接させた構成としたものである。この構成により、真空断熱材の下端とボデー対流防止部材との隙間で発生する容器下部の高温空間からのヒートリークを抑えることができ、さらに断熱性能を向上できるという作用を有する。また、真空断熱材下端の位置が規制されるため真空断熱材と容器との間に空気層が発生したり、真空断熱材の下端がボデーに接触したりするなど断熱性能悪化の要因から回避できるという作用も有する。
【００１２】
【実施例】
以下、本発明の実施例について図面を参照して説明する。
【００１３】
（参考例１）
以下に、本発明の第１の参考例を図１、図２により説明する。図１において、液体２２を収容する有底筒状の容器２３と、液体２２を加熱・保温する加熱手段２６と、容器２３の上方開口部を覆う蓋体２８と、蓋体２８内部には発泡ポリプロピレン樹脂などを用いた蓋断熱材２９と、蓋体２８に装着され蓋体閉時に容器２３の上方開口部と当接する防水パッキング３０と、容器２３の外周部に位置し芯材３１（シリカ、パーライトなどの無機粉末、あるいはグラスウールなどの無機繊維、硬質ウレタンフォーム、発泡フェノール樹脂などを用いる）を外袋３２（樹脂フィルム、樹脂・金属箔ラミネートフィルム、例えば、ナイロン・ＰＥＴ・アルミ箔・無延伸ポリプロピレンなど）で覆い内部を真空状態（大気圧以下）にした真空断熱材３４と、真空断熱材３４の外周部に位置するボデー２１と、ボデー２１上部に載置され容器２３の上方開口部を保持する注口２４とから構成されている。
【００１４】
真空断熱材３４の上端は蓋体２８閉時に防水パッキング３０と容器２３が当接する面の相反する面に位置させた構成としている。
【００１５】
次に、本参考例における作用を説明する。液体２２は加熱手段により一定温度に加熱・保温され、保温中は容器２３の外周部に配置した筒状の真空断熱材３４（熱伝導率＝約０．００５０〜０．００７０ｋｃａｌ／ｍｈ℃）および蓋体２８内部の蓋断熱材２９により、容器２３側面および容器２３上方からの放熱を抑制できるものである。従来の構成では、防水パッキング３０と容器２３の当接部から真空断熱材の上端までの間における放熱が非常に大きいため保温電力量の低減が非常に困難であった。しかしながら、本参考例の構成においては真空断熱材３４の上端を防水パッキング３０と容器２３が当接する面の相反する面に配しているためこの部位での熱損失を大幅に抑制できるものである。
【００１６】
また、本参考例の電気湯沸かし器において保温温度の設定を最高温度（９８℃保温）としたとき、保温安定時の平均保温電力量は３３ｗｈ／ｈであり、従来構成の性能（３７ｗｈ／ｈ）と比較して約４ｗｈ／ｈ改善が図れた。
【００１７】
以上の構成から明らかなように、高断熱効率なる真空断熱材３４の上端を蓋体２８閉時の防水パッキング３０と容器２３が当接する面の相反する面に配することで放熱を大幅に抑制でき、保温時の消費電力量を低減できるものである。
【００１８】
（実施例１）
以下に、本発明の第１の実施例を図３により説明する。図において、防水パッキング３０と容器２３の当接部より上方に真空断熱材３４の上端を位置させた構成としたものである。その他は参考例１で説明したとおりである。この構成によれば防水パッキング３０と容器２３の当接部抑制からの放熱も抑制でき、また注口２４の外部に通ずる伝熱距離も確保できるため断熱性能をさらに向上させるという作用を有する。
【００１９】
（実施例２）
以下に、本発明の第２の実施例を図４により説明する。図において、真空断熱材３４の上端部厚さを中央部厚さよりも薄くした構成としたものである。その他は参考例１で説明したとおりである。
【００２０】
次に、本実施例における作用を説明する。参考例１の図２で示した構成で実施例１の構成を満足させるとすればボデー２１の外形を大きく取る必要があり、その場合、商品のコンパクト性が損なわれる。本実施例の構成によれば、コンパクト性を損なわずに断熱構成を実現できるものである。具体的には、真空断熱材３４の完成品をロール加工する際に一方の端部のみ厚み設定を薄くすることでこの構成を実現できる。
【００２１】
以上の構成から明らかなように、真空断熱材３４の上方端部のみ厚みを薄くすることで商品のコンパクト性を損なうことなく断熱性能を向上でき、保温電力量を低減できるという作用を有する。
【００２２】
（実施例３）
以下に、本発明の第３の実施例を図５により説明する。図において、真空断熱材３４の上端部を注口２４と容器２３の外側面との間に配置した構成としたものである。つまり、注口２４の内側面と容器２３の外側面との間に真空断熱材３４の上端部を配置した構成としている。
【００２３】
次に、本実施例における作用を説明する。真空断熱材３４の上端は容器２３の上端まで直接的に被覆するため、注口２４を介する伝熱量を大幅に低減するものである。
【００２４】
以上の構成から明らかなように、容器２３の上端は真空断熱材３４の上端により直接的に断熱できるため、さらに断熱性能を向上できるという作用を有する。
【００２５】
（参考例２）
以下に、本発明の第２の参考例を図６により説明する。図において、真空断熱材３４の上端内周および外周に注口２４より略同軸の円周リブ３５（内周リブ３５ａ、外周リブ３５ｂ）を配し、円周リブ先端を真空断熱材３４に当接させた構成としたものである。
【００２６】
次に、本参考例における作用を説明する。注口２４に形設した円周リブ３５により真空断熱材３４の上端と注口２４との隙間で発生するヒートリークを抑えることができるというものである。
【００２７】
以上の構成から明らかなように、真空断熱材３４の上端で発生するヒートリークを注口２４に形設した円周リブ３５により抑制できるため、断熱性能をさらに向上できるという作用を有する。
【００２８】
（参考例３）
以下に、本発明の第３の参考例を図７により説明する。図において、注口２４に略同軸の二つの円周リブ３５のうち外周リブ３５ｂの先端を内周リブ３５ａの先端より下方に位置させた構成としたものである。
【００２９】
次に、本参考例における作用を説明する。真空断熱材３４の上端と注口２４との隙間が部分的に開放状態となったとしても外周リブ３５ｂの先端が内周リブ３５ａの先端より下方に位置しているので熱抵抗となり、容易に外部へ放熱しない。
【００３０】
以上の構成から明らかなように、真空断熱材３４の上端で発生するヒートリークを注口２４に形設した外周リブ３５ｂにより更に抑制できるため、断熱性能をさらに向上できるという作用を有する。
【００３１】
（参考例４）
以下に、本発明の第４の参考例を図８により説明する。図において、容器２３の下部に配した加熱手段２６を覆う遮熱板３６などの高温部品の周囲を覆う位置に真空断熱材３４の下端を配した構成としたものである。この構成によれば、加熱手段２６周辺の高温部品からの放熱を抑制でき、ボデー２１下部における熱流出を低減することで断熱性能を向上できるという作用を有する。
【００３２】
（参考例５）
以下に、本発明の第５の参考例を図９、１０により説明する。図において、ボデー２１の内側底部上面に先端が真空断熱材３４の下端に隣接してなるボデー対流防止部材３７を全周もしくは一部に配した構成としたものである。
【００３３】
次に、本参考例における作用を説明する。加熱手段２６を覆う遮熱板３６などの高温部品を配した容器２３下部で発生する対流はボデー２１の内側底部上面に配したボデー対流防止部材３７により閉空間を形接されることで阻止されボデー２１の下部内側面に直接至らしめることはない。
【００３４】
以上の構成から明らかなように、ボデー対流防止部材３７により容器２３下部で発生する対流がボデー２１の下部内側面に直接的に接触することを回避できることで、ボデー２１の下部で発生する放熱を抑制でき、さらに断熱性能を向上できるという作用を有する。
【００３５】
また、図１０の如くボデー２１の下部で一体構成すれば部品点数を増やすことなく同効果を得ることが可能となる。
【００３６】
（実施例４）
以下に、本発明の第４の実施例を図１１および図１２により説明する。図において、ボデー対流防止部材３７を真空断熱材３４の内周もしくは外周に配した構成としたものである。この構成によれば、真空断熱材３４とボデー対流防止部材３７との間の熱抵抗はさらに増大し、対流による放熱を抑制させる作用を有する。
【００３７】
（実施例５）
以下に、本発明の第５の実施例を図１３により説明する。図において、ボデー対流防止部材３７を真空断熱材３４の下方端部の内周および外周に隣接させて配した構成としたものである。この構成によれば、加熱手段２６を覆う遮熱板３６などの高温部品を配した容器２３下部はさらに閉空間化され対流による放熱を大幅に抑制させる作用を有する。
【００３８】
（参考例６）
以下に、本発明の第６の参考例を図１４により説明する。図において、遮熱板３６の外周に対流防止壁３８を形設し真空断熱材３４とを隣接させた構成としたものである。
【００３９】
次に、本参考例における作用を説明する。容器２３の下部に配した加熱手段２６とそれを覆う遮熱板３６の間で発生する空気対流は対流防止壁３８と真空断熱材３４との隣接部により熱抵抗となり外部の流出を抑制できるものである。
【００４０】
以上の構成から明らかなように、加熱手段２６と遮熱板３６の空間の外周に対流防止壁３８による熱抵抗を設けることで放熱を抑制させる作用を有する。
【００４１】
（参考例７）
以下に、本発明の第７の参考例を図１５により説明する。図において、遮熱板３６の外周に形設した対流防止壁３８と真空断熱材３４とを当接させた構成としたものである。この構成によれば、容器２３の下部に配した加熱手段２６とそれを覆う遮熱板３６および真空断熱材３４は閉空間となり対流による放熱を大幅に抑制させる作用を有する。
【００４２】
（参考例８）
以下に、本発明の第８の参考例を図１６により説明する。図において、ボデー２１の内側面側に真空断熱材３４と隣接するボデー内面リブ３９を複数本形設したもので、これにより真空断熱材３４とボデー２１内面との面接触を回避でき固体の熱伝導による断熱効果の悪化を最小限に抑えることができるという作用を有する。さらに、形設したボデー内面リブ３９と真空断熱材３４およびボデー２１の内面で覆われた空気断熱隔離層により周方向での空気対流を抑えると同時に空気断熱効果で断熱性能を向上できるという作用も有する。
【００４３】
（参考例９）
以下に、本発明の第９の参考例を図１７により説明する。図において、防水パッキング３０の外側面にリップ４０を形設しリップ４０の先端を隣接する注口２４と当接させた構成としたものである。この構成によれば、防水パッキング３０と容器２３との当接部（シール部）で発生する熱流出は防水パッキング３０に形設したリップ４０が熱抵抗となり遮断できるため断熱性能をさらに向上できるという作用を有する。
【００４４】
（参考例１０）
以下に、本発明の第１０の参考例を図１８により説明する。図において、蓋体２８の外周面は注口２４の上面よりも下側に位置させた構成としたものである。この構成によれば、防水パッキング３０と容器２３との当接部（シール部）で発生する熱流出は外部と通ずる外周部で蓋体２８の外周面が熱抵抗となることで抑制されるため断熱性能をさらに向上できるという作用を有する。
【００４５】
【発明の効果】
以上の実施例の説明より明らかなように、請求項１記載の説明によれば、防水パッキングと容器の当接部より上方に真空断熱材の上端を位置させることで防水パッキングと容器の当接面で発生する放熱を大幅に抑制でき保温電力量を更に低減できるものである。
【００４６】
また、請求項２記載の発明によれば、真空断熱材の上方端部のみ厚みを薄くすることで商品のコンパクト性を損なうことなく断熱性能を向上でき、保温電力量を低減できるものである。
【００４７】
また、請求項３記載の発明によれば、容器の上端は真空断熱材の上端により直接的に断熱できるため、さらに断熱性能を向上できるものである。
【００４８】
また、請求項４記載の発明によれば、ボデー対流防止部材を真空断熱材の内周もしくは外周に隣接して配することでボデー対流防止部材と真空断熱材の下端間での熱抵抗をさらに高めることができ容器下部の高温空間と中低温なるボデーと間の遮へい効果を向上できるものである。
【００４９】
また、請求項５記載の発明によれば、ボデー対流防止部材を真空断熱材の下端内周および外周で隣接させることにより、真空断熱材の下端とボデー対流防止部材との隙間で発生する容器下部の高温空間からのヒートリークを抑えることができ、さらに断熱性能を向上できるものである。また、真空断熱材下端の位置が規制されるため真空断熱材と容器との間に空気層が発生したり、真空断熱材の下端がボデーに接触したりするなど断熱性能悪化の要因から回避できるものである。
【図面の簡単な説明】
【図１】  本発明の第１の参考例を示す電気湯沸かし器の断面図
【図２】  本発明の第１の参考例を示す電気湯沸かし器の要部拡大断面図
【図３】  本発明の第１の実施例を示す電気湯沸かし器の要部拡大断面図
【図４】  本発明の第２の実施例を示す電気湯沸かし器の要部拡大断面図
【図５】  本発明の第３の実施例を示す電気湯沸かし器の要部拡大断面図
【図６】  本発明の第２の参考例を示す電気湯沸かし器の要部拡大断面図
【図７】  本発明の第３の参考例を示す電気湯沸かし器の要部拡大断面図
【図８】  本発明の第４の参考例を示す電気湯沸かし器の要部拡大断面図
【図９】  本発明の第５の参考例を示す電気湯沸かし器の要部拡大断面図
【図１０】  本発明の第５の参考例を示す電気湯沸かし器の要部拡大断面図
【図１１】  本発明の第４の実施例を示す電気湯沸かし器の要部拡大断面図
【図１２】  本発明の第４の実施例を示す電気湯沸かし器の要部拡大断面図
【図１３】  本発明の第５の実施例を示す電気湯沸かし器の要部拡大断面図
【図１４】  本発明の第６の参考例を示す電気湯沸かし器の要部拡大断面図
【図１５】  本発明の第７の参考例を示す電気湯沸かし器の要部拡大断面図
【図１６】  本発明の第８の参考例を示す電気湯沸かし器の要部拡大断面図
【図１７】  本発明の第９の参考例を示す電気湯沸かし器の要部拡大断面図
【図１８】  本発明の第１０の参考例を示す電気湯沸かし器の要部拡大断面図
【図１９】  従来の電気湯沸かし器を示す断面図
【符号の説明】
２１    ボデー
２２    液体
２３    容器
２４    注口
２６    加熱手段
２８    蓋体
２９    蓋断熱材
３０    防水パッキング
３１    芯材
３２    外袋
３４    真空断熱材
３５    円周リブ
３５ａ  内周リブ
３５ｂ  外周リブ
３６    遮熱板
３７    ボデー対流防止部材
３８    対流防止壁
３９    ボデー内面リブ
４０    リップ
【図１】
0004106837.tif 000002
【図２】
0004106837.tif 000003
【図３】
0004106837.tif 000004
【図４】
0004106837.tif 000005
【図５】
0004106837.tif 000006
【図６】
0004106837.tif 000007
【図７】
0004106837.tif 000008
【図８】
0004106837.tif 000009
【図９】
0004106837.tif 000010
【図１０】
0004106837.tif 000011
【図１１】
0004106837.tif 000012
【図１２】
0004106837.tif 000013
【図１３】
0004106837.tif 000014
【図１４】
0004106837.tif 000015
【図１５】
0004106837.tif 000016
【図１６】
0004106837.tif 000017
【図１７】
0004106837.tif 000018
【図１８】
0004106837.tif 000019
【図１９】
0004106837.tif 000020